(57)【要約】  【課題】通気貫および通気胴縁に取り付けた金属製ビスを覆う作業が容易な建築構造体を提供する。  【解決手段】貫本体42および胴縁本体72の外側面42b,72bに設けた凹溝部44にカバー部材を嵌合させると、凹溝部44内のビス挿入孔45に挿入した金属製ビス51の拡径頭部53をカバー部材61で被覆できる。金属製ビス51の熱伝導率より低い熱伝導率の貫本体42、胴縁本体72およびカバー部材61にて金属製ビス51を被覆できる。金属製ビス51が冷気に曝されなくなる。温度差で金属製ビス51の表面に生じる結露を防止できる。角柱体11、柱体12および壁材32の腐食や劣化を簡単な構成で確実に防止できる。  【選択図】図１
2006233699.tif 000002
【特許請求の範囲】
【請求項１】
所定の内部空間の少なくとも一部に対向して配設された板状の壁材と、
この壁材の外側に配設された板状の断熱材と、
この断熱材の外側に内側を対向させて配設され、溝状の凹溝部が外側に設けられた板状の縁材本体と、
この縁材本体の凹溝部において前記壁材に固定され、これら縁材本体と壁材との間で前記断熱材を前記壁材の外側に取り付けさせ、前記縁材本体の熱伝導率より高い熱伝導率を有する固定部材と、
前記縁材本体の外側に対向して取り付けられて、この縁材本体の凹溝部を覆い、前記固定部材の熱伝導率より低い熱伝導率を有する板状の被覆材と
を具備したことを特徴とした建築構造体。
【請求項２】
縁材本体は、壁材の高さ方向に沿った長手方向を有する細長板状に形成され、
この縁材本体の凹溝部は、この縁材本体の長手方向に沿って形成され、
被覆材は、前記縁材本体の凹溝部の幅方向に略等しい幅寸法を有するとともに、この凹溝部の長さ寸法に略等しい長さ寸法を有する細長板状に形成されている
ことを特徴とした請求項１記載の建築構造体。
【請求項３】
縁材本体は、壁材の高さ方向に沿った長手方向を有する細長板状に形成され、
この縁材本体の凹溝部は、この縁材本体の幅方向に沿って形成され、
被覆材は、前記縁材本体の凹溝部の幅方向に略等しい幅寸法を有するとともに、この凹溝部の長さ寸法に略等しい長さ寸法を有する細長板状に形成されている
ことを特徴とした請求項１記載の建築構造体。
【発明の詳細な説明】
【技術分野】
【０００１】
本発明は、縁材本体を介して壁材に断熱材が取り付けられる建築構造体に関する。
【背景技術】
【０００２】
従来、この種の建築構造体としては、室内の側面を覆う内壁面の外側面に矩形平板状の断熱材を取り付けて室内を外側から外断熱させる外断熱構造が用いられている。そして、この外断熱構造は、断熱材の外側面に細長柱状の縁材としての通気胴縁が取り付けられている。この通気胴縁は、木材や合成樹脂で形成されている。さらに、この通気胴縁は、この通気胴縁の長手方向を断熱材の高さ方向に沿わせつつ、この通気胴縁の内側面を断熱材の外側面に接触させた状態で、この断面材の幅方向に向けて離間されて取り付けられている。
【０００３】
さらに、この通気胴縁には、この通気胴縁の外側面から金属製のビス体が取り付けられ、このビス体にて通気胴縁を介して断熱材を内壁面の外側面に取り付けさせている。ところが、この通気胴縁に取り付けられるビス体が金属製であるため、この通気胴縁の熱伝導率よりも高い熱伝導率を有している。このため、この金属製のビス体が外気温と室内気温との温度差によって結露が発生してしまうおそれがある。
【０００４】
そこで、この通気胴縁としては、通気胴縁の外側面に側面視円形状の凹部を形成して、この凹部内から金属製のビス体である通気胴縁ビスを内壁面に固定させてから、この凹部内に簡易ウレタンスプレーにてウレタンを充填して、この金属製の通気胴縁ビスの頭部をウレタンで覆って、この通気胴縁ビスの頭部が冷気に触れるのを防止した構成が知られている(例えば、特許文献１参照。)。
【特許文献１】特開平１０−１４０６８７号公報
【発明の開示】
【発明が解決しようとする課題】
【０００５】
しかしながら、上述した通気胴縁では、複数の通気胴縁ビスにて通気胴縁を内壁面に固定してから、この通気胴縁の各凹部のそれぞれに簡易ウレタンスプレーにてウレタンを充填して、これら凹部内の通気胴縁ビスの頭部を覆わなければならない。このため、この通気胴縁の各凹部に取り付けられた各通気胴縁ビスの頭部を覆う作業が容易ではないという問題を有している。
【０００６】
本発明は、このような点に鑑みなされたもので、縁材本体に取り付けた固定部材を覆う作業が容易な建築構造体を提供することを目的とする。
【課題を解決するための手段】
【０００７】
請求項１記載の建築構造体は、所定の内部空間の少なくとも一部に対向して配設された板状の壁材と、この壁材の外側に配設された板状の断熱材と、この断熱材の外側に内側を対向させて配設され、溝状の凹溝部が外側に設けられた板状の縁材本体と、この縁材本体の凹溝部において前記壁材に固定され、これら縁材本体と壁材との間で前記断熱材を前記壁材の外側に取り付けさせ、前記縁材本体の熱伝導率より高い熱伝導率を有する固定部材と、前記縁材本体の外側に対向して取り付けられて、この縁材本体の凹溝部を覆い、前記固定部材の熱伝導率より低い熱伝導率を有する板状の被覆材とを具備したものである。
【０００８】
そして、所定の内部空間の少なくとも一部に板状の壁材を対向させて配設してから、この壁材の外側に板状の断熱材を対向させて配設する。次いで、この断熱材の外側に縁材本体の内側を対向させて配設する。この後、この縁材本体の外側に設けられている溝状の凹溝部において、この縁材本体の熱伝導率より高い熱伝導率を有する固定部材を壁材に固定させて、これら縁材本体と壁材との間で断熱材を壁材の外側に取り付けさせる。この後、固定部材の熱伝導率より低い熱伝導率を有する板状の被覆材を、縁材本体の外側に対向させて取り付けて、この縁材本体の凹溝部を覆う。この結果、縁材本体の凹溝部において固定部材を壁材に固定させた後に、この縁材本体の外側に被覆材を取り付けるだけで、この縁材本体の凹溝部において壁材に固定された固定部材を被覆材で被覆できる。このため、この固定部材が、この固定部材の熱伝導率より低い熱伝導率を有する縁材本体および被覆材にて被覆されるので、この固定部材での結露の発生を効率良く防止でき、この縁材本体の凹溝部に取り付けた固定部材を覆う作業が容易になる。
【０００９】
請求項２記載の建築構造体は、請求項１記載の建築構造体において、縁材本体は、壁材の高さ方向に沿った長手方向を有する細長板状に形成され、この縁材本体の凹溝部は、この縁材本体の長手方向に沿って形成され、被覆材は、前記縁材本体の凹溝部の幅方向に略等しい幅寸法を有するとともに、この凹溝部の長さ寸法に略等しい長さ寸法を有する細長板状に形成されているものである。
【００１０】
そして、壁材の高さ方向に沿った長手方向を有する細長板状に縁材本体を形成し、この縁材本体の長手方向に沿って凹溝部を形成した。さらに、この縁材本体の凹溝部の幅方向に略等しい幅寸法を有するとともに、この凹溝部の長さ寸法に略等しい長差寸法を有する細長板状に被覆材を形成した。この結果、この縁材本体の長手方向に被覆材の長手方向を沿わせて、この被覆材を縁材本体の凹溝部に取り付けるだけで、この凹溝部内から壁材に固定された複数の固定部材を被覆材にて被覆できるので、この縁材本体の凹溝部内に取り付けた固定部材を覆う作業がより容易になる。
【００１１】
請求項３記載の建築構造体は、請求項１記載の建築構造体において、縁材本体は、壁材の高さ方向に沿った長手方向を有する細長板状に形成され、この縁材本体の凹溝部は、この縁材本体の幅方向に沿って形成され、被覆材は、前記縁材本体の凹溝部の幅方向に略等しい幅寸法を有するとともに、この凹溝部の長さ寸法に略等しい長さ寸法を有する細長板状に形成されているものである。
【００１２】
そして、壁材の高さ方向に沿った長手方向を有する細長板状に縁材本体を形成し、この縁材本体の幅方向に沿って凹溝部を形成した。さらに、この縁材本体の凹溝部の幅方向に略等しい幅寸法を有するとともに、この凹溝部の長さ寸法に略等しい長差寸法を有する細長板状に被覆材を形成した。この結果、この縁材本体の幅方向に被覆材の長手方向を沿わせて、この被覆材を縁材本体の凹溝部に取り付けるだけで、この凹溝部内から壁材に固定された固定部材を被覆材にて被覆できるので、この縁体本体の凹溝部内に取り付けた固定部材を覆う作業がより容易になる。
【発明の効果】
【００１３】
請求項１記載の建築構造体によれば、縁材本体の凹溝部において固定部材を壁材に固定させた後に、この縁材本体の外側に被覆材を取り付けるだけで、この縁材本体の凹溝部において壁材に固定された固定部材を被覆材で被覆できるため、縁材本体の熱伝導率より高い熱伝導率を有する固定部材が、この固定部材の熱伝導率より低い熱伝導率を有する縁材本体および被覆材にて被覆されるので、この固定部材での結露の発生を効率良く防止でき、この縁材本体の凹溝部内に取り付けた固定部材を覆う作業を容易にできる。
【００１４】
請求項２記載の建築構造体によれば、縁材本体の長手方向に被覆材の長手方向を沿わせて、この被覆材を縁材本体の凹溝部に取り付けるだけで、この凹溝部内から壁材に固定された複数の固定部材を被覆材にて被覆できるので、この縁材本体の凹溝部内に取り付けた固定部材を覆う作業をより容易にできる。
【００１５】
請求項３記載の建築構造体によれば、縁材本体の幅方向に被覆材の長手方向を沿わせて、この被覆材を縁材本体の凹溝部に取り付けるだけで、この凹溝部内から壁材に固定された固定部材を被覆材にて被覆できるので、この縁体本体の凹溝部内に取り付けた固定部材を覆う作業がより容易になる。
【発明を実施するための最良の形態】
【００１６】
以下、本発明の建築構造体の第１の実施の形態の構成を図１ないし図５を参照して説明する。
【００１７】
図１ないし図３において、１は建築構造体で、この建築構造体１は、木造住宅や軽鉄骨住宅などであって、この建築構造体１の内部に形成されている内部空間としての室内２を外側から断熱する外断熱方式の外断熱構造にて形成されている。
【００１８】
そして、この建築構造体１は、地表面GL上に打設されコンクリートにて構成された基礎構造体３を備えている。この基礎構造体３は、地表面GLを覆う平板状のべた基礎部４を有している。このべた基礎部４は、例えば１５０ｍｍ程度の厚さ寸法を有しており、このべた基礎部４と地表面GLとの間には、防湿フィルム５が介在されている。さらに、このべた基礎部４の周縁には、このべた基礎部４より上方に突出し建築構造体１の壁面の基礎となる壁状の布基礎部６が一体的に設けられている。
【００１９】
また、この布基礎部６の上端面6aには、建築構造体１の室内２の気密性を確保する気密材としての平板状の気密バンド７が設置されている。この気密バンド７が設置された布基礎部６の上端面6a上には、断面矩形状の柱体の長手方向を水平方向に沿わせた状態で設置されて土台８が形成されている。この土台８の上側に位置する上面8a上には、断面矩形状の柱状である躯体としての複数の角柱体11が立設されている。これら角柱体11は、これら角柱体11の長手方向を上下方向に沿わせた状態で、これら角柱体11それぞれの長手方向の一端部である下端部11aを土台８の上面8a上に当接させつつ、これら角柱体11間が所定の間隔を介して離間されて、この土台８の上面8a上に取り付けられている。
【００２０】
さらに、これら角柱体11間には、図１に示すように、これら角柱体11の幅寸法より小さな幅寸法を有する断面細長矩形状の柱状である躯体としての柱体12が立設されている。これら柱体12は、これら柱体12の長手方向を各角柱体11の長手方向に沿わせた状態で、これら柱体12の長手方向の一端部である下端部を土台８の上面8a上に当接させつつ、これら角柱体11間の略中央部に平行に並設されている。また、これら柱体12は、角柱体11の厚さ寸法に略等しい厚さ寸法を有しており、これら角柱体11の内側面11bおよび外側面11cのそれぞれに内側面12bおよび外側面12cのそれぞれを沿わせた状態で立設されている。
【００２１】
そして、建築構造体１の土台８間には、この建築構造体１の１階部の床面の基礎となる平面板状の床材13が水平に設置されている。また、この床材13の上側に位置する一側面としての上面13a上には、建築構造体１の１階部の天井面となる平面板状の天井材14が所定の間隔を介して水平に設置されている。これら天井材14は、石膏ボードなどにて構成されており、これら天井材14の上側に位置する一側面としての上面14a上には、矩形平板状の断熱材15が積層されている。
【００２２】
さらに、各角柱体11および柱体12それぞれの長手方向の中間部間には、断面矩形状の柱体である第１の梁材16が長手方向を水平方向に沿わせた状態で連結部材としての連結金物17を介して取り付けられている。そして、これら第１の梁材16の幅方向の一側面である上側面16a間には、建築構造体１の２階部の床面となる床材13が設置されている。さらに、この床材13上には、所定の間隙を介して建築構造体１の２階部の天井面となる天井材14が水平に設置されており、この天井材14上に断熱材15が積層されて取り付けられている。
【００２３】
また、各角柱体11および柱体12それぞれの長手方向の他端部である上端部11d,12d間には、断面矩形状の柱体である第２の梁材18が長手方向を水平方向に沿わせた状態で連結金物17を介して取り付けられている。これら第２の梁材18は、第１の梁材16より幅寸法が小さな角材としての垂木にて構成されており、建築構造体１の屋根部を支持する梁材である。さらに、これら各角柱体11および柱体12それぞれの上端部11d,12dには、断面矩形状の柱体である屋根支持材21の長手方向を傾斜させた状態で、これら屋根支持材21の長手方向の一端部である下端部21aが連結されている。これら屋根支持材21は、垂木にて構成されており、平行に等間隔に離間させて設置されている。
【００２４】
そして、これら屋根支持材21上には、合板にて構成された矩形平板状の複数の下地材22が取り付けられている。この下地材22上には、所定の空間を介して断面矩形状の柱体である屋根設置材23が屋根支持材21の長手方向に長手方向を沿わせた状態で設置されている。これら屋根設置材23は、垂木にて構成されており、各角柱体11および柱体12の外側面11c,12cよりも長手方向の一端部である下端部23aを外側に向けて突出させた状態で取り付けられている。また、これら屋根設置材23と下地材22との間には、断熱材24が介在されて取り付けられている。
【００２５】
さらに、これら屋根設置材23上には、矩形平面板状の複数の野地板25が取り付けられて、これら屋根設置材23間が閉塞されている。また、これら野地板25上には、シート状のルーフィング材26を介して矩形平板状の複数の屋根材27が屋根設置材23の長手方向に沿った傾斜方向に向けて順次に積層されて取り付けられている。これら複数の屋根材27は、互いに積層された状態で野地板25上を覆っている。
【００２６】
一方、各角柱体11および柱体12それぞれの室内２側に位置する一側面である内側面11b,12bには、矩形平板状の複数の内壁材31が取り付けられて、これら複数の内壁材31にて各角柱体11および柱体12それぞれの内側面11b,12b間が面一に閉塞されている。ここで、これら内壁材31は、例えば厚さ１２．５ｍｍの石膏ボードなどにて構成されており、建築構造体１の室内２の内壁面を構成する。さらに、これら内壁材31は、床材13と天井材14との間に取り付けられており、これら内壁材31の上端部31aにて天井材14を支持しているとともに、これら内壁材31の下端部31bが床材13にて支持されている。
【００２７】
さらに、これら角柱体11および柱体12それぞれの外側に位置する他側面である外側面11c,12cには、矩形平板状の複数の壁材32の内側の一側面である内側面32aを対向させて取り付けられて、これら複数の壁材32にて各角柱体11および柱体12それぞれの外側面11c,12c間が面一に閉塞されている。ここで、これら壁材32は、例えば矩形平板状のベニヤ板などの合板にて構成されており、各角柱体11および柱体12それぞれの外側面11c,12c間を面一に閉塞している。
【００２８】
そして、これら壁材32の外側の一側面である外側面32bには、細長矩形平板状の補強用の複数の横桟33が長手方向を水平方向に沿わせた状態で取り付けられている。これら横桟33は、土台８、第１の梁材16および第２の梁材18それぞれの外側に位置する外側面8b,16bに水平に対向した位置のそれぞれに取り付けられている。すなわち、これら横桟33は、土台８、第１の梁材16、第２の梁材18の長手方向である水平方向に長手方向を沿わせた状態で、壁材32の外側面32bに固定されている。ここで、これら横桟33は、例えば３０ｍｍ×１２０ｍｍ程度の断面を有する細長矩形平板状の板材であって、各角柱体11および柱体12のそれぞれの間を幅方向に沿って補強する。
【００２９】
さらに、これら横桟33間の壁材32の外側面32bには、矩形平板状の複数の断熱材34の一側面である内側面34aを対向させて取り付けられており、これら複数の断熱材34にて各横桟33間が面一に閉塞されている。これら断熱材34は、例えば発泡系ウレタンやロックウールなどの外断熱用の断熱材であって、各横桟33が取り付けられている部分を除く各壁材32それぞれの外側面32bを覆っている。また、これら断熱材34は、横桟33の厚さ寸法に略等しい厚さ寸法を有しており、各横桟33間の壁材32の外側面32bを面一に覆っている。具体的に、これら断熱材34は、これら断熱材34それぞれの内側面34aを各壁材32の外側面32bに対向させて積層させた状態で、これら壁材32それぞれの外側面32bを覆っている。よって、これら断熱材34は、建築構造体１の室内２を外部から断熱する。
【００３０】
そして、各角柱体11の外側面11cに対向した断熱材34の外側に位置する他側面である外側面34bには、図２および図３に示すように、これら断熱材34の長さ方向である高さ方向に長手方向を沿わせた状態で細長平板状の縁材としての通気胴縁である通気貫41が取り付けられている。これら通気貫41は、建築構造体１の壁材32の高さ方向である上下方向に沿って、各角柱体11それぞれの外側面11cに対向した位置に固定されている。ここで、これら通気貫41は、断熱材34を角柱体11に固定させて、この断熱材34の壁材からの脱落を防止する。
【００３１】
さらに、これら通気貫41は、角柱体11の幅寸法より小さく柱体12の幅寸法より大きな幅寸法を有する断面細長矩形状に形成された細長平板状の縁材本体としての堅胴縁である貫本体42を備えている。この貫本体42は、これら貫本体42の一側面である内側面42aを各角柱体11の外側面11cに対向させつつ、これら各角柱体11の長手方向に長手方向を沿わせた状態で、これら貫本体42の内側面42aを壁材32の外側面32bに面接触させて取り付けられている。ここで、これら貫本体42の内側面42aは、長手方向を有する細長矩形状に形成されており、例えばベニヤ板などの合板にて構成されている。
【００３２】
また、図１に示すように、貫本体42の内側面42aと角柱体11の外側面11cとの間に断熱材34の幅方向の両端面34cを面接触させて接続させた連結部35が位置している場合には、この連結部35を覆うように細長帯状の気密テープ43を断熱材34の長手方向に沿って貼り付けられており、この気密テープ43を含んだ断熱材34の外側面34b上に貫本体42が取り付けられている。
【００３３】
そして、この貫本体42の内側面42aの反対側である外側に位置する他側面としての外側面42bには、図４に示すように、この外側面42bの長手方向に沿った長手方向を有する断面凹溝状の凹溝部44が、例えば２本ほど設けられている。ここで、この貫本体42の外側面42bは、この貫本体42の内側面42aと同様に、長手方向を有する細長矩形状に形成されている。そして、この貫本体42の各凹溝部44は、この貫本体42の外側面42bの幅方向の両側縁から平行に離間された位置に設けられている。そして、これら凹溝部44は、互いに平行に離間された状態で、貫本体42の外側面42bの長手方向に沿って貫通している。
【００３４】
さらに、これら凹溝部44の内側に位置する内側面44aには、貫本体42の厚さ方向に向けて貫通した貫通孔としてのビス挿入孔45が設けられている。これらビス挿入孔45は、凹溝部44の内側面44bの幅方向の中央部に位置しているとともに、貫本体42の厚さ方向に沿って穿設されている。さらに、これらビス挿入孔45は、各凹溝部44の長手方向に向けて等間隔、すなわち所定のビスピッチを介して離間された位置にそれぞれ設けられている。したがって、これら凹溝部44には、複数のビス挿入孔45が長手方向に沿って等間隔に離間されて設けられている。また、これら各ビス挿入孔45それぞれの開口縁には、これらビス挿入孔45の開口縁をテーパ状に開口させる傾斜面部46が設けられている。
【００３５】
そして、これら通気貫41それぞれの貫本体42の各ビス挿入孔45には、固定部材としての金属接合具である金属製ビス51が挿入されて、この金属製ビス51にて貫本体42を介して断熱材34が壁材32および角柱体11のそれぞれにビス止めされて固定されている。すなわち、これら金属製ビス51は、貫本体42と壁材32との間で断熱材34を挟持して、この断熱材34を壁材32の外側面32bに位置決めさせて取り付けさせて固定させる。
【００３６】
ここで、この金属製ビス51は、貫本体42の熱伝導率より高い熱伝導率を有する金属製であって、細長円柱状の軸部52の基端部に、この軸部52の基端側に向けてテーパ状に拡径した略円錐状の拡径頭部53が同軸状に一体的に設けられて構成されている。この拡径頭部53は、金属製ビス51の軸部52を貫本体42の凹溝部44側から挿入した際に、この凹溝部44の内側面44aに設けられている傾斜面部46に係止されて、この拡径頭部53の端面55が凹溝部44の内側面44aに沿うように形成されている。
【００３７】
また、金属製ビス51の軸部52の先端部の外周面には、螺旋状に巻回したねじ溝54が設けられている。よって、これら金属製ビス51は、これら金属製ビス51の軸部52を貫本体42の凹溝部44側からビス挿入孔45に挿通させるとともに断熱材34および壁材32のそれぞれを貫通させて、角柱体11の外側面11cから、この角柱体11に軸部52のねじ溝54がねじ込まれてビス止めされている。
【００３８】
さらに、各貫本体42の凹溝部44には、この凹溝部44に嵌合されて取り付けられて、この凹溝部44を略面一に覆う矩形平板状の被覆材としての蓋部材であるカバー部材61が取り付けられている。これらカバー部材61は、各凹溝部44に嵌合されて、これら凹溝部44内に接着されている。そして、このカバー部材61は、凹溝部44の幅方向に略等しい幅寸法を有するとともに、この凹溝部44の深さ寸法に等しい厚さ寸法を有する断面細長矩形状に形成されている。また、このカバー部材61は、凹溝部44の長手寸法に等しい長手寸法を有する細長矩形平板状に形成されている。さらに、このカバー部材61は、貫本体42と同様に、例えばベニヤ板などの合板にて構成されており、この貫本体42の熱伝導率と等しい熱伝導率を有している。したがって、このカバー部材61は、金属製ビス51の熱伝導率より低い熱伝導率を有している。
【００３９】
また、このカバー部材61は、このカバー部材61の一方の側面である内側面61aを貫本体42の凹溝部44に対向させて、この貫本体42の凹溝部44内に嵌合させて取り付けられた状態で、この貫本体42の外側面42bが面一になるように、この貫本体42の凹溝部44を覆う。さらに、このカバー部材61は、貫本体42の凹溝部44内のビス挿入孔45に金属製ビス51を挿入して、この貫本体42を断熱材34の外側面34bに固定させて取り付けた状態で、この貫本体42の凹溝部44の長手方向に長手方向を沿わせた状態で、この凹溝部44に取り付けられて、この凹溝部44内の傾斜面部46に係止されている金属製ビス51の拡径頭部53の端面55を被覆して、この金属製ビス51を外気から遮断させる。
【００４０】
一方、各柱体12の外側面12cに対向した断熱材34の外側面34bには、これら断熱材34の長さ方向である高さ方向に長手方向を沿わせた状態で細長平板状の縁材としての堅胴縁である通気胴縁71が取り付けられている。これら通気胴縁71は、通気貫41と同様に取り付けられており、柱体12の幅寸法より若干大きな幅寸法を有する断面細長矩形状に形成された細長平板状の縁材本体としての堅胴縁である胴縁本体72を備えている。この胴縁本体72は、貫本体42と同様に、この胴縁本体72の内側面72aを各柱体12の外側面12cに対向した壁材32の外側面32bに対向させて取り付けられている。
【００４１】
そして、図５に示すように、この胴縁本体72の外側に位置する外側面72bの幅方向の中央部に、凹溝部44が設けられている。この凹溝部44は、貫本体42に設けられている凹溝部44と同様に構成されており、胴縁本体72の外側面72bの幅方向の中央部に設けられている。さらに、この凹溝部44の内側面44aには、貫本体42と同様に、ビス挿入孔45および傾斜面部46のそれぞれが設けられている。そして、この胴縁本体72の凹溝部44には、金属製ビス51がビス挿入孔45に挿入されて固定されてからカバー部材61が取り付けられて、これら金属製ビス51の拡径頭部53の端面55がカバー部材61にて被覆されている。
【００４２】
さらに、凹溝部44のそれぞれがカバー部材61にて被覆された通気貫41および通気胴縁71それぞれの外側面42b,72bには、矩形平板状の外壁基材81の一方の側面である一側面としての内側面81aが対向して取り付けられて、これら通気貫41および通気胴縁71間が閉塞されている。これら外壁基材81は、例えばベニヤ板などの合板にて構成されている。さらに、これら外壁基材81は、これら外壁基材81の内側面81aを、通気貫41の貫本体42および通気胴縁71の胴縁本体72それぞれの外側面42b,72bと、これら貫本体42および胴縁本体72それぞれの凹溝部44に取り付けられているカバー部材61それぞれの外側に位置する外側面61aとのそれぞれに面接触させた状態で取り付けられている。
【００４３】
そして、これら外壁基材81の内側面81aと断熱材34の外側面34bとの間には、通気貫41および通気胴縁71の厚さ寸法に等しい幅寸法を有する所定の間隙である通気スペースとしての通気層82が形成されている。したがって、この通気層82は、通気貫41および通気胴縁71によって通気スペースが確保されている。また、この通気層82は、建築構造体１の高さ方向に向けて貫通しているとともに、この建築構造体１の屋根設置材23間に連続して設けられている。したがって、この通気層82は、建築構造体１の高さ方向に沿って空気を流通させて吸気および排気させる。
【００４４】
また、これら外壁基材81の他方の側面である外側面81bには、防火作用を有する外壁材としての矩形平板状の複数のサイディング材83が取り付けられている。これらサイディング材83は、互いに連結されて外壁基材81の外側面81bに積層されて取り付けられている。さらに、建築構造体１の屋根設置材23の下端部23aと通気貫41および通気胴縁71との間には、梁材84が取り付けられて連結されている。これら梁材84の下面84aには、サイディング材83が取り付けられて、これら梁材84の下面84a間が閉塞されている。
【００４５】
次に、上記第１の実施の形態の施工方法について説明する。
【００４６】
まず、所定の地表面GL上に防湿フィルム５を積層させてから、この防湿フィルム５上にコンクリートを打設して基礎構造体３を形成する。
【００４７】
この後、この基礎構造体３の布基礎部６の上端面6aの所定位置に気密バンド７を設置してから、この気密バンド７を設置した布基礎部６の上端面6aに土台８を設置する。
【００４８】
次いで、この土台８の上面8a上に角柱体11および柱体12をそれぞれ立設させてから、これら角柱体11および柱体12間を、第１の梁材16および第２の梁材18にて連結金物17を介して連結させる。
【００４９】
この後、これら角柱体11および柱体12の上端部11d,12d上に屋根支持材21を傾斜させて設置してから、これら屋根支持材21上に下地材22を積層させた後に断熱材24を積層させてから屋根設置材23を設置する。
【００５０】
次いで、この屋根設置材23上に野地材25を積層させてから、この野地材25上にルーフィング材26および屋根材27のそれぞれを順次積層させて設置する。
【００５１】
この後、土台８の上面8a間および第１の梁材16の上側面16a間のそれぞれに床材13を設置するとともに、角柱体11および柱体12それぞれの内側面11b,12bに内壁材31を取り付けてから、これら内壁材31の上端部31a間に天井材14を設置して、建築構造体１の１階部および２階部それぞれの室内２を形成する。
【００５２】
そして、各角柱体11および柱体12の外側面11c,12cに壁材32の内側面32aを対向させて、これら壁材32にて角柱体11および柱体12間を閉塞してから、土台８、第１の梁材16および第２の梁材18のそれぞれに対向する壁材32の外側面32bに横桟33をそれぞれ取り付ける。
【００５３】
次いで、これら横桟33間の壁材32の外側面32bに断熱材34の内側面34aを対向させて設置して、これら横桟33間を断熱材34にて閉塞してから、各角柱体11に対向する断熱材34の外側面34bに通気貫41の貫本体42の内側面42aを対向させるとともに、各柱体11に対向する断熱材34の外側面34bに通気胴縁71の胴縁本体72の内側面72aを対向させて設置させる。
【００５４】
この状態で、これら貫本体42および胴縁本体72それぞれの凹溝部44内の各ビス挿入孔45のそれぞれに、金属製ビス51の軸部52を挿入して、これら金属製ビス51の軸部52を断熱材34および壁材32のそれぞれに貫通させてから、これら金属製ビス51それぞれの拡径頭部53の端面55が凹溝部44の傾斜面部46に嵌合して、この凹溝部44の内側面44aと面一になるまで挿入して、これら金属製ビス51のねじ溝54を角柱体11あるいは柱体12の外側面11c,12cにねじ込んでビス止めして、これら貫本体42および胴縁本体72を介して断熱材34を壁材32の外側面32bに固定させる。
【００５５】
この後、これら貫本体42および胴縁本体72それぞれの凹溝部44にカバー部材61を嵌合させて、これら貫本体42および胴縁本体72それぞれの凹溝部44内に取り付けられている金属製ビス51の拡径頭部53の端面55をカバー部材61にて被覆するとともに、これら貫本体42および胴縁本体72それぞれの外側面42b,72bとカバー部材61の外側面61bとを面一にする。
【００５６】
次いで、これら貫本体42および胴縁本体72それぞれの外側面42b,72bに外壁基材81の内側面81aを対向させて、これら外壁基材81にて貫本体42および胴縁本体72間を閉塞するとともに、これら外壁基材81の内側面81aと断熱材34の外側面34bとの間に通気層82を形成させる。
【００５７】
この後、これら外壁基材81の外側面81bにサイディング材83を積層させて取り付けるとともに、これら通気貫41および通気胴縁71と屋根設置材23の下端部23aとの間に梁材84を取り付けてから、これら梁材84の下面84aにサイディング材83を積層させて取り付ける。
【００５８】
上述したように、上記第１の実施の形態によれば、通気貫41の貫本体42の外側面42bおよび通気胴縁71の胴縁本体72の外側面72bのそれぞれに凹溝部44を設けるとともに、これら凹溝部44それぞれの内側面44aに金属製ビス51の軸部52が挿通可能なビス挿入孔45と、この金属製ビス51の拡径頭部53が係止する傾斜面部46のそれぞれを形成した。さらに、これら貫本体42および胴縁本体72それぞれの凹溝部44に嵌合させることによって、これら凹溝部44内の各ビス挿入孔45に挿入した各金属製ビス51それぞれの拡径頭部53を被覆できるカバー部材61を形成した。
【００５９】
この結果、断熱材34の外側面34bに通気貫41の貫本体42の内側面42aおよび通気胴縁71の胴縁本体72の内側面72aのそれぞれを対向させて設置させた状態で、これら貫本体42および胴縁本体72それぞれの凹溝部44内の各ビス挿入孔45のそれぞれに、金属製ビス51の軸部52を挿入して、これら金属製ビス51のねじ溝54を角柱体11あるいは柱体12の外側面11c,12cにねじ込んでビス止めする。
【００６０】
この後、これら貫本体42および胴縁本体72それぞれの凹溝部44にカバー部材61を嵌合させて、これら貫本体42および胴縁本体72それぞれの凹溝部44内の金属製ビス51の拡径頭部53の端面55をカバー部材61にて被覆することによって、これら金属製ビス51全体を、これら金属製ビス51の熱伝導率より低い熱伝導率の貫本体42、胴縁本体72およびカバー部材61にて完全に被覆できる。よって、これら金属製ビス51が冷気に曝されることを確実に遮断できる。
【００６１】
したがって、この金属製ビス51が、貫本体42および胴縁本体72の熱伝導率より大きな熱伝導率を有することにより、外気温と室内気温との温度差によって金属製ビス51の表面に生じる結露を防止できる。よって、この金属製ビス51に結露が生じることによって生じる、木材にて構成された角柱体11や柱体12、壁材32などの腐食や劣化を簡単な構成で確実に防止できる。
【００６２】
言い換えると、これら金属製ビス51が直接外気温に触れることを簡単な構成で確実に防止できるので、これら金属製ビス51の結露防止をできるから、角柱体11、柱体12および壁材32などの構造部分の木材の腐食や劣化を防止でき、建築構造体１自体の耐久性を向上できる。よって、この建築構造体１自体の耐久性を向上することにて、建築廃棄物を削減できるから、環境改善できるとともに、省エネルギも合わせて促進できる建築工法を提供できる。また、建築構造体１の角柱体11、柱体12および壁材32などの構造部分をより確実に腐食から守ることができるので、地震などの災害時にも人命や財産を守ることができる建築工法を提供できる。
【００６３】
さらに、通気貫41の貫本体42および通気胴縁71の胴縁本体72それぞれの凹溝部44の長手寸法に等しい長手寸法を有するとともに、この凹溝部44の幅寸法に等しい幅寸法を有するカバー部材61とした。この結果、これら貫本体42および胴縁本体72それぞれの凹溝部44内のビス挿入孔45に金属製ビス51を挿入して、これら金属製ビス51を角柱体11あるいは柱体12にビス止めしてから、これら貫本体42および胴縁本体72それぞれの凹溝部44の長手方向にカバー部材61の長手方向を沿わせて嵌合させるだけで、これら貫本体42および胴縁本体72それぞれの凹溝部44内に挿入して取り付けた各金属製ビス51のそれぞれをカバー部材61にて被覆できる。
【００６４】
このため、これら金属製ビス51が、これら金属製ビス51の熱伝導率より低い熱伝導率を有する貫本体42あるいは胴縁本体72およびカバー部材61にて完全に被覆されるので、これら金属製ビス51での結露の発生を簡単な構成で効率良く防止できるから、これら貫本体42および胴縁本体72それぞれの凹溝部44内に取り付けた金属製ビス51を覆う作業を容易にできるから、通気貫41および通気胴縁71を取り付ける際の施工性を向上できる。よって、建築構造体１を建築する際の工期を短縮できるとともに、この建築構造体１の施工費を削減でき、この建築構造体１の施工精度を向上できる。
【００６５】
また、貫本体42および胴縁本体72それぞれの凹溝部44を長手方向に沿って貫通させて形成させたことにより、これら貫本体42および胴縁本体72を取り付ける断熱材34の外側面34bの高さ寸法が異なる場合であっても、これら貫本体42および胴縁本体72を長手方向に沿って連結させて取り付けたり、これら貫本体42および胴縁本体72それぞれを幅方向に沿って切断して取り付けたりする。さらに、これら貫本体42および胴縁本体72の長手寸法に揃えてカバー部材61を幅方向に沿って切断して、これらカバー部材61を貫本体42および胴縁本体72それぞれの凹溝部44に嵌合させるだけで、これら貫本体42あるいは胴縁本体72およびカバー部材61にて構成された通気貫41および通気胴縁71を断熱材34の高さ寸法に合わせて取り付けることができる。
【００６６】
したがって、建築構造体１の高さが異なる場合であっても、貫本体42、胴縁本体72およびカバー部材61を適宜切断したり連結したりすることによって、この建築構造体１の高さに合わせて、これら貫本体42、胴縁本体72およびカバー部材61を容易に対応させて取り付けることができる。このため、種々の長さの貫本体42、胴縁本体72およびカバー部材61を予め用意する必要がないので、在庫管理が容易になるとともに、これら貫本体42、胴縁本体72およびカバー部材61の現場での取り付け作業を容易にできる。
【００６７】
さらに、通気貫41の貫本体42および通気胴縁71の胴縁本体72それぞれの凹溝部44の深さ寸法に等しい厚さ寸法を有するカバー部材61とした。この結果、このカバー部材61を貫本体42および胴縁本体72それぞれの凹溝部44に嵌合させた際に、これら貫本体42および胴縁本体72それぞれの外側面42b,72bとカバー部材61の外側面61bとが面一になる。したがって、これら貫本体42および胴縁本体72それぞれの凹溝部44にカバー部材61を嵌合させて、これら貫本体42および胴縁本体72それぞれの外側面42b,72bを面一にする作業が容易にできるとともに、これら貫本体42および胴縁本体72それぞれの外側面42b,72bが面一になるから、これら貫本体42および胴縁本体72それぞれの外側面42b,72bに外壁基材81を確実に安定させて取り付けることができる。
【００６８】
なお、上記第１の実施の形態では、通気貫41の貫本体42および通気胴縁71の胴縁本体72それぞれに、これら貫本体42および胴縁本体72それぞれの長手方向に沿って貫通した凹溝部44を形成したが、図６に示す第２の実施の形態のように、これら通気貫41の貫本体42および通気胴縁71の胴縁本体72それぞれに、これら貫本体42および胴縁本体72それぞれの幅方向に沿って貫通した凹溝部44を形成することもできる。
【００６９】
そして、これら凹溝部44は、貫本体42および胴縁本体72の幅方向に沿った長手方向を有するとともに、これら貫本体42および胴縁本体72の長手方向に沿った幅寸法を有している。また、これら凹溝部44は、貫本体42および胴縁本体72それぞれに設けられている各ビス挿入孔45が、これら凹溝部44の幅方向の中央部に位置するように、これら各ビス挿入孔45に対応して設けられている。すなわち、これら凹溝部44は、貫本体42および胴縁本体72それぞれの長手方向に向けて、各ビス挿入孔45のビスピッチを介して離間された位置に設けられている。
【００７０】
さらに、カバー部材61は、各凹溝部44の長手寸法に等しい長手寸法を有するとともに、これら凹溝部44の幅寸法に等しい幅寸法を有する矩形平板状に形成されている。したがって、これらカバー部材61は、貫本体42あるいは胴縁本体72の幅寸法に等しい長手寸法を有しているとともに、凹溝部44の深さ寸法に等しい厚さ寸法を有している。
【００７１】
この結果、貫本体42および胴縁本体72の各凹溝部44内のビス挿入孔45のそれぞれに金属製ビス51を挿入して、これら金属製ビス51を角柱体11あるいは柱体12にビス止めしてから、これら貫本体42および胴縁本体72それぞれの凹溝部44にカバー部材61を嵌合させるだけで、これら貫本体42および胴縁本体72それぞれの凹溝部44内のビス挿入孔に挿入した金属製ビス51の拡径頭部53の端面55をカバー部材61で被覆できるから、上記第１の実施の形態と同様の作用効果を奏することができる。
【００７２】
さらに、貫本体42あるいは胴縁本体72の幅方向に沿った凹溝部44としたことにより、これら凹溝部44に嵌合させる各カバー部材61の長さ寸法が小さくなる。したがって、これら各カバー部材61を小さくできるので、これらカバー部材61の管理や、これらカバー部材61を凹溝部44に嵌合させる際の作業性を向上できる。
【００７３】
なお、上記各実施の形態では、貫本体42および胴縁本体72の長手方向あるいは幅方向に貫通させた凹溝部44としたが、これら貫本体42および胴縁本体72それぞれの外側面42b,72bに、図示しないホルソなどでくり抜いて側面視円形状の凹溝部44を設け、これら凹溝部44をくり抜く際にできた側面視円形平板状の板体をカバー部材61として再利用して、これらカバー部材61を凹溝部44に嵌合させて、これら凹溝部44内のビス挿入孔45に挿入した金属製ビス51を被覆する構成とすることもできる。
【００７４】
また、貫本体42および胴縁本体72とカバー部材61とを熱伝導率が等しい同質材の木材にて構成したが、これら貫本体42および胴縁本体72とカバー部材61とのそれぞれが金属製ビス51の熱伝導率より低い熱伝導率を有する部材であれば、これら貫本体42および胴縁本体72とカバー部材61とを別質材にて構成することもできる。さらに、貫本体42および胴縁本体72に設けた凹溝部44内のビス挿入孔45に金属製ビス51を挿入してから、これら凹溝部44内に図示しないコーキング材や、ウレタン発泡剤などを注入して、これら金属製ビス51を被覆して冷気から遮断させることもできる。
【００７５】
そして、これら凹溝部44にカバー部材61を嵌合させて接着させて固定させたが、これらカバー部材61を、これらカバー部材61の熱伝導率に略等しい熱伝導率を有する部材にて構成された釘類や、これらカバー部材61と凹溝部44との摩擦力を利用して、これら凹溝部44内に固定させる構成とすることもできる。さらに、断熱材34を角柱体11や柱体12に固定させる固定部材としては、金属製ビス51以外であっても、貫本体42および胴縁本体72の熱伝導率より高い熱伝導率を有するビスや釘などであればよい。
【００７６】
また、貫本体42および胴縁本体72それぞれの凹溝部44の内側面44aにビス挿入孔45を予め穿設させたが、これらビス挿入孔45を予め穿設せずに、金属製ビス51を貫本体42および胴縁本体72の凹溝部44内の所望の位置にねじ込んで、これら金属製ビス51を貫本体42および胴縁本体72の凹溝部44内に取り付ける構成とすることもできる。さらに、これら断熱材34を固定させる角柱体11および柱体12としては、木材以外のコンクリートや金属製の鉄骨材などであってもよく、建築構造体１としては、木造住宅以外の鉄筋コンクリート住宅や、鉄骨材住宅などでもよい。そして、住宅以外の種々の建築構造体１であっても対応させて用いることができる。
【図面の簡単な説明】
【００７７】
【図１】本発明の第１の実施の形態の建築構造体の一部を示す説明横断面図である。
【図２】同上建築構造体の一部を示す説明縦断面図である。
【図３】同上建築構造体の一部を示す説明斜視図である。
【図４】同上建築構造体の縁材本体を示す断面図である。
【図５】同上建築構造体の縁材本体を示す断面図である。
【図６】本発明の第２の実施の形態の建築構造体の一部を示す説明斜視図である。
【符号の説明】
【００７８】
１    建築構造体
２    内部空間としての室内
32    壁材
34    断熱材
42    縁材本体としての貫本体
44    凹溝部
51    固定部材としての金属製ビス
61    被覆材としてのカバー部材
72    縁材本体としての胴縁本体
【図１】
2006233699.tif 000003
【図２】
2006233699.tif 000004
【図３】
2006233699.tif 000005
【図４】
2006233699.tif 000006
【図５】
2006233699.tif 000007
【図６】
2006233699.tif 000008